(57)【特許請求の範囲】
【請求項１】
映像表示装置とコンテンツ再生装置とをＨＤＭＩケーブルで接続してＣＥＣ機能で互いに通信可能なコンテンツ視聴システムであって、
上記コンテンツ再生装置の側において、
上記ＣＥＣ機能による通信を介して上記映像表示装置に対して実質的な表示領域の送信を要求し、同表示領域を受信する実質的表示領域取得手段と、
コンテンツを再生して表示領域をカットしている黒部分を除く表示必要領域を検出する表示必要領域検出手段と、
上記受信した実質的な表示領域が上記検出された表示必要領域よりも小さい場合に、上記ＣＥＣ機能による通信を介して上記映像表示装置に表示領域の変更要求を送る表示領域変更要求手段とを具備し、
上記映像表示装置の側において、
上記ＣＥＣ機能による通信を介して上記コンテンツ再生装置から実質的な表示領域を要求されると同表示領域を送信する実質的表示領域送信手段と、
上記ＣＥＣ機能による通信を介して上記コンテンツ再生装置から表示領域の変更要求を受信すると表示領域を変更する表示領域変更手段とを具備することを特徴とするコンテンツ視聴システム。
【請求項２】
上記実質的な表示領域の送受信は、アスペクト比の送受信で行うことを特徴とする請求項１に記載のコンテンツ視聴システム。
【請求項３】
上記映像表示装置から受信した実質的な表示領域を記憶しておき、コンテンツの再生の終了後、同表示領域に戻すように上記映像表示装置に表示領域の変更要求を送ることを特徴とする請求項１または請求項２に記載のコンテンツ視聴システム。
【請求項４】
上記映像表示装置はテレビであり、上記コンテンツ再生装置は光ディスクドライブ装置であることを特徴とする請求項１〜請求項３のいずれかに記載のコンテンツ視聴システム。
【請求項５】
映像表示装置とＨＤＭＩケーブルで接続してＣＥＣ機能で互いに通信可能なコンテンツ再生装置であって、
上記ＣＥＣ機能による通信を介して上記映像表示装置に対して実質的な表示領域の送信を要求し、同表示領域を受信する実質的表示領域取得手段と、
コンテンツを再生して表示領域をカットしている黒部分を除く表示必要領域を検出する表示必要領域検出手段と、
上記受信した実質的な表示領域が上記検出された表示必要領域よりも小さい場合に、上記ＣＥＣ機能による通信を介して上記映像表示装置に表示領域の変更要求を送る表示領域変更要求手段とを具備することを特徴とするコンテンツ再生装置。
【請求項６】
コンテンツ再生装置とＨＤＭＩケーブルで接続してＣＥＣ機能で互いに通信可能な映像表示装置であって、
上記ＣＥＣ機能による通信を介して上記コンテンツ再生装置から実質的な表示領域を要求されると同表示領域を送信する実質的表示領域送信手段と、
上記ＣＥＣ機能による通信を介して上記コンテンツ再生装置から表示領域の変更要求を受信すると表示領域を変更する表示領域変更手段とを具備することを特徴とする映像表示装置。
【請求項７】
テレビと光ディスクドライブ装置とをＨＤＭＩケーブルで接続してＣＥＣ機能で互いに通信可能なコンテンツ視聴システムであって、
上記光ディスクドライブ装置の側において、
上記ＣＥＣ機能による通信を介して上記テレビに対して実質的な表示領域としてのアスペクト比の送信を要求し、同アスペクト比を受信するとともに、同アスペクト比を記憶する実質的表示領域取得手段と、
コンテンツを再生して表示領域をカットしている黒部分を除く表示必要領域を検出する表示必要領域検出手段と、
上記受信した実質的な表示領域が上記検出された表示必要領域よりも小さい場合に、上記ＣＥＣ機能による通信を介して上記テレビにアスペクト比の変更要求を送るとともに、コンテンツの再生の終了後、上記記憶しておいたアスペクト比に戻すように上記テレビに表示領域の変更要求を送る表示領域変更要求手段とを具備し、
上記テレビの側において、
上記ＣＥＣ機能による通信を介して上記光ディスクドライブ装置から実質的な表示領域としてのアスペクト比を要求されると同アスペクト比を送信する実質的表示領域送信手段と、
上記ＣＥＣ機能による通信を介して上記光ディスクドライブ装置から表示領域としてのアスペクト比の変更要求を受信すると同アスペクト比へ変更する表示領域変更手段とを具備することを特徴とするコンテンツ視聴システム。
【発明の詳細な説明】
【技術分野】
【０００１】
本発明は、コンテンツ視聴システムと、これを構成するコンテンツ再生装置と映像表示装置に関し、特に、コンテンツに応じたアスペクト比で視聴するものに関する。
【背景技術】
【０００２】
コンテンツに応じた表示とするための技術として以下のものが知られている。
特許文献１には、映像の上下部分または左右部分に黒帯映像が含まれる場合にこの黒帯映像を除去するテレビ受像装置を除去するテレビ受像装置１において、映像信号処理により映像サイズの拡大縮小並びに枠部分の切り落としが可能なスケーリング回路３１と、黒帯映像の有無を検出してスケーリング回路３１の動作を制御するスケーリング制御手段２４とを備え、スケーリング制御手段２４はスケーリング回路３１より後段の映像信号を監視して黒帯映像の有無を検出するビデオスケーリングシステムの構成が開示されている。
【０００３】
特許文献２には、映像信号を取り込み、画像の上下及び中央部を検出して、現在の入力された映像信号が上下に無画像領域を備えるかどうかを判別し、その判別信号により、偏向を切り換えて、９：１６の画面に拡大表示を設定するテレビジョン受像器の構成が開示されている。
特許文献３には、ＮＴＳＣコンポジット信号１０をデジタルデータに変換するＡＤ変換部１と、前記ＡＤ変換部１の出力するデジタルデータに基づき３本の走査線から１本の割合で補間用走査線を生成する３→４走査線変換部２と、前記ＡＤ変換部１の出力するデジタルデータに基づき３本の走査線から２本の割合で補間用走査線を生成する３→５走査線変換部３の出力を水平時間方向に１．２５倍に拡大する５／４時間伸長部と、前記３→４走査線変換部２及び５／４時間伸長部４の出力データを入力するとともに制御信号１２に基づきいずれか一方のデータを選択する切換部５と、デジタルデータをアナログ信号１１に変換するＤＡ変換部６とでなるアスペクト比変換方法が開示されている。
【先行技術文献】
【特許文献】
【０００４】
【特許文献１】特開２００８−１０３９７４号公報
【特許文献２】特開平７−８７４１６号公報
【特許文献３】特開平６−３１１４８７号公報
【発明の概要】
【発明が解決しようとする課題】
【０００５】
海外の映画を見るとき、字幕ありの映画においてテレビのアスペクト比によっては、字幕がテレビの表示領域外に表示されることがある。
上述した従来の技術では、表示装置の側などで特殊な表示処理を行う必要があり、汎用性がなかった。
本発明は、特殊な表示の処理を必要とすることなく、自動でテレビのアスペクト比を変更し表示領域内に字幕を表示させることを目的とする。
【課題を解決するための手段】
【０００６】
本発明は、映像表示装置とコンテンツ再生装置とをＨＤＭＩケーブルで接続してＣＥＣ機能で互いに通信可能なコンテンツ視聴システムであって、上記コンテンツ再生装置の側において、上記ＣＥＣ機能による通信を介して上記映像表示装置に対して実質的な表示領域の送信を要求し、同表示領域を受信する実質的表示領域取得手段と、コンテンツを再生して表示領域をカットしている黒部分を除く表示必要領域を検出する表示必要領域検出手段と、上記受信した実質的な表示領域が上記検出された表示必要領域よりも小さい場合に、上記ＣＥＣ機能による通信を介して上記映像表示装置に表示領域の変更要求を送る表示領域変更要求手段とを具備し、上記映像表示装置の側において、上記ＣＥＣ機能による通信を介して上記コンテンツ再生装置から実質的な表示領域を要求されると同表示領域を送信する実質的表示領域送信手段と、上記ＣＥＣ機能による通信を介して上記コンテンツ再生装置から表示領域の変更要求を受信すると表示領域を変更する表示領域変更手段とを具備する構成としてある。
【０００７】
上記構成において、その前提として、映像表示装置とコンテンツ再生装置とはＨＤＭＩケーブルで接続されており、ＣＥＣ機能で互いに通信可能となっている。そして、まず、コンテンツ再生装置の実質的表示領域取得手段がＣＥＣ機能による通信を介して映像表示装置に対して実質的な表示領域の送信を要求すると、映像表示装置の実質的表示領域送信手段が同表示領域を送信するので、コンテンツ再生装置の実質的表示領域取得手段は同表示領域を受信する。次に、コンテンツ再生装置の表示必要領域検出手段は、コンテンツを再生して表示領域をカットしている黒部分を除く表示必要領域を検出する。そして、上記受信した実質的な表示領域が上記検出された表示必要領域よりも小さい場合には、表示領域変更要求手段がＣＥＣ機能による通信を介して映像表示装置に表示領域の変更要求を送る。すると、映像表示装置の表示領域変更手段は、コンテンツ再生装置から表示領域の変更要求を受信し、表示領域を変更する。
【０００８】
すなわち、映像表示装置とコンテンツ再生装置との間で表示領域に関する通信を行い、コンテンツ再生装置から必要な表示領域が得られるように映像表示装置に要求し、映像表示装置がこれに対応するようにしている。
ここで、上記実質的な表示領域の送受信は、アスペクト比の送受信で行うように構成しても良い。
映像表示装置における標準的な機能として、アスペクト比での管理が主流だからである。
【０００９】
また、上記映像表示装置から受信した実質的な表示領域を記憶しておき、コンテンツの再生の終了後、同表示領域に戻すように上記映像表示装置に表示領域の変更要求を送るように構成しても良い。
コンテンツの再生にあたり、同コンテンツの再生に最適にするとしても、表示領域が変更されたままで終わると、マニュアルで当初の設定に戻さなければならなくなる。このため、変更前の表示領域を記憶しておき、コンテンツ再生後に戻すようにしている。
【００１０】
さらに、一般的な具体化例として、上記映像表示装置はテレビであり、上記コンテンツ再生装置は光ディスクドライブ装置で構成しても良い。
上記のようなシステムの発明は、その構成要素としても利用されることは容易に理解できる。このため、映像表示装置とＨＤＭＩケーブルで接続してＣＥＣ機能で互いに通信可能なコンテンツ再生装置であって、上記ＣＥＣ機能による通信を介して上記映像表示装置に対して実質的な表示領域の送信を要求し、同表示領域を受信する実質的表示領域取得手段と、コンテンツを再生して表示領域をカットしている黒部分を除く表示必要領域を検出する表示必要領域検出手段と、上記受信した実質的な表示領域が上記検出された表示必要領域よりも小さい場合に、上記ＣＥＣ機能による通信を介して上記映像表示装置に表示領域の変更要求を送る表示領域変更要求手段とを具備する構成としても良い。
【００１１】
また、コンテンツ再生装置とＨＤＭＩケーブルで接続してＣＥＣ機能で互いに通信可能な映像表示装置であって、上記ＣＥＣ機能による通信を介して上記コンテンツ再生装置から実質的な表示領域を要求されると同表示領域を送信する実質的表示領域送信手段と、上記ＣＥＣ機能による通信を介して上記コンテンツ再生装置から表示領域の変更要求を受信すると表示領域を変更する表示領域変更手段とを具備する構成としても良い。
【００１２】
さらに、上記の統合的な態様として、テレビと光ディスクドライブ装置とをＨＤＭＩケーブルで接続してＣＥＣ機能で互いに通信可能なコンテンツ視聴システムであって、上記光ディスクドライブ装置の側において、上記ＣＥＣ機能による通信を介して上記テレビに対して実質的な表示領域としてのアスペクト比の送信を要求し、同アスペクト比を受信するとともに、同アスペクト比を記憶する実質的表示領域取得手段と、コンテンツを再生して表示領域をカットしている黒部分を除く表示必要領域を検出する表示必要領域検出手段と、上記受信した実質的な表示領域が上記検出された表示必要領域よりも小さい場合に、上記ＣＥＣ機能による通信を介して上記テレビにアスペクト比の変更要求を送るとともに、コンテンツの再生の終了後、上記記憶しておいたアスペクト比に戻すように上記テレビに表示領域の変更要求を送る表示領域変更要求手段とを具備し、上記テレビの側において、上記ＣＥＣ機能による通信を介して上記光ディスクドライブ装置から実質的な表示領域としてのアスペクト比を要求されると同アスペクト比を送信する実質的表示領域送信手段と、上記ＣＥＣ機能による通信を介して上記光ディスクドライブ装置から表示領域としてのアスペクト比の変更要求を受信すると同アスペクト比へ変更する表示領域変更手段とを具備する構成としても良い。
【発明の効果】
【００１３】
このように本発明によれば、ユーザーがアスペクト比のような表示領域を意識することなく、快適に映画などのコンテンツを鑑賞できる。また、コンテンツの再生後にアスペクト比を戻すことにより、手動で戻すといった煩わしさを防止することができる。
【図面の簡単な説明】
【００１４】
【図１】本コンテンツ再生システムのブロック図である。
【図２】ワイドテレビ用コンテンツに対するアスペクト比の変更の態様を示す図である。
【図３】スタンダードテレビ用コンテンツに対するアスペクト比の変更の態様を示す図である。
【図４】アスペクト比の変更の処理のフローチャートである。
【発明を実施するための形態】
【００１５】
以下、図面にもとづいて本発明の実施形態を説明する。
図１は、本発明の一実施形態にかかるコンテンツ視聴システムをブロック図により示している。本発明のコンテンツ視聴システムは、映像表示装置であるテレビと、コンテンツ再生装置である光ディスクドライブ装置とを、ＨＤＭＩケーブルで接続してＣＥＣ機能で互いに通信可能としている。
同図において、テレビ１０におけるテレビ側チューナ１１は、アンテナ１２を介してテレビ放送を受信する。テレビ処理回路１３はテレビ側チューナ１１に対して所定のチャンネルのテレビ放送を受信させるとともに、テレビ放送の受信信号から映像信号と音声信号とを出力する。また、その前提としてテレビ側操作パネル１４を介してユーザの操作を入力している。
【００１６】
映像信号は画像処理回路１５に出力され、同画像処理回路１５は液晶パネルユニット１６で映像を表示するための信号に変換して出力する。液晶パネルユニット１６はパネル駆動回路１７と、液晶パネル１８と、バックライトユニット１９とを有しており、画像処理回路１５の出力信号に基づいてパネル駆動回路１７が液晶パネル１８の各画素を駆動させて映像を形成しつつ、バックライトユニット１９が同液晶パネル１８の背面から透過光を照射し、同液晶パネル１８の表面に視認可能な映像を表示させる。
【００１７】
一方、音声信号は音声回路２１に出力され、テレビ側操作パネル１４のボリューム調整操作に対応した音量となるように増幅され、スピーカ２２から音声として出力される。
また、本テレビ１０全体の統合的な制御はテレビ側制御回路２４が実施しており、より具体的には、テレビ側操作パネル１４での操作を受け付け、テレビ処理回路１３での各種の制御及びテレビ側チューナ１１におけるテレビ放送の受信、画像処理回路１５での画像処理、テレビ側ＨＤＭＩインターフェイス２５を介する外部機器との通信などを行う。
【００１８】
一方、光ディスクドライブ装置３０は、ＤＶＤやブルーレイディスクなどの光ディスクを再生する光ディスクドライブ３４と、同光ディスクドライブ３４で光ディスクを再生させる再生制御回路３３と、ユーザからの操作を受け付ける光ディスクドライブ側操作パネル３５と、総合的な制御を行なう光ディスクドライブ側制御回路３６と、外部機器と接続可能な光ディスクドライブ側ＨＤＭＩインターフェイス３７とを備えている。
【００１９】
ここで、光ディスクドライブ側制御回路３６は光ディスクドライブ側操作パネル３５での操作を受け付け、再生制御回路３３による光ディスクの再生、および光ディスクドライブ側ＨＤＭＩインターフェイス３７を介する外部機器との通信などを行う。
なお、テレビ側ＨＤＭＩインターフェイス２５と光ディスクドライブ側ＨＤＭＩインターフェイス３７とをＨＤＭＩケーブル２０で接続し、ＣＥＣ機能による通信を介してテレビ側制御回路２４と光ディスクドライブ側制御回路３６とは通信が可能となっている。
【００２０】
ＣＥＣ機能には、予め規格で定められた標準的なコマンドや応答に加え、規格でベンダーに許容される予備的なコマンドや応答が可能である。本実施例では、いずれの方法でも良いものの、以下のコマンドと応答を可能としている。すなわち、
・光ディスクドライブ装置の側において、
テレビに対してアスペクト比の送信を要求
テレビからのアスペクト比の受信
【００２１】
テレビに対してアスペクト比の変更要求
・テレビの側において、
アスペクト比の要求に対する同アスペクト比の送信
アスペクト比の変更要求の受信および同アスペクト比への変更
は、標準的あるいは予備的なコマンドとして応答が可能である。そして、これは実質的にはテレビ側制御回路２４と光ディスクドライブ側制御回路３６とによって実現している。
【００２２】
次に、図２と図３はアスペクト比の変更態様を示しており、図２はワイドテレビ用コンテンツに対するアスペクト比の変更の態様を示し、図３はスタンダードテレビ用コンテンツに対するアスペクト比の変更の態様を示している。
図２では、表示するテレビの画面が４：３であり、これにアスペクト比を変えて１６：９のワイドテレビ用コンテンツを表示している。
【００２３】
図中左のスタンダードテレビのアスペクト比が選ばれるとすると、横に圧縮する。従って、コンテンツは上下方向はそのままでカットもされないが、横方向に圧縮されて本来よりも縦長の画像として表示される。この場合は、字幕があってもカットはされない。
図中真ん中のレターボックスのアスペクト比が選ばれるとすると、上下に余白（黒帯）を入れる。コンテンツ自体は縦横比を維持され、上下に黒帯が付加されるので、余白は大きい。この場合は、字幕があってもカットはされない。
【００２４】
図中右のパンスキャンのアスペクト比が選ばれるとすると、等倍表示（縦横の比をそのままに、また、上下方向をそのままに）を行ない、左右のはみ出しはカットする。従って、コンテンツは上下方向はそのままでカットもされないが、左右の端部はカットされる。この場合は、上下に字幕があってもカットはされないが、左右に字幕があるとカットされる。
【００２５】
一方、図３では、表示するテレビの画面が１６：９であり、これにアスペクト比を変えて４：３のスタンダードテレビ用コンテンツを表示している。
図中左のワイドノーマル出力のアスペクト比が選ばれるとすると、左右に余白（黒帯）を入れる。コンテンツ自体は縦横比を維持され、左右に黒帯が付加されるので、余白は大きい。この場合は、字幕があってもカットはされない。
【００２６】
図中右のワイドスクイーズ出力のアスペクト比が選ばれるとすると、４：３の画像比を１６：９とするように左右に伸長する。コンテンツ自体は左右に引き延ばされ、横長となる。この場合は、字幕があってもカットはされない。
以上のように、コンテンツとアスペクト比との組み合わせによっては、字幕が切れて見れなくなるアスペクト比の選択があり得るので、以下のようにしてユーザーがアスペクト比のような表示領域を意識することなく、快適に映画などのコンテンツを鑑賞できるようにする。
【００２７】
図４はアスペクト比の変更の処理をフローチャートにより示している。
上述したように、前提としてテレビ１０とコンテンツ再生機である光ディスクドライブ装置３０との間では現状におけるＣＥＣ機能に相当する手段にて情報のやりとりが可能となっている。
まず、ステップ１１では、光ディスクドライブ装置３０で映画を再生し、テレビ１０でこれを表示する状況となっている。
【００２８】
この場合、ステップ１２では、テレビのアスペクト比を取得する。すなわち、テレビ１０側において、実質的な表示領域を取得し、メディア側の光ディスクドライブ装置３０に送信する。ここで、実質的な表示領域は現状のアスペクト比を送受信することで行なう。すなわち、本発明では映像信号に基づいて特別な画像処理を行うのではなく、機能として備えているアスペクト比の変更で対応するため、現状の実質的な表示領域である本来のアスペクト比をテレビ１０側から光ディスクドライブ装置３０に送信する。なお、この処理は、実質的表示領域取得手段と実質的表示領域送信手段とに相当する。
【００２９】
次に、ステップ１３では、再生情報においてテレビの表示可能領域を超えているか判断する。テレビ１０側のアスペクト比を受信して、光ディスクドライブ装置３０の側では再生しているコンテンツの表示に必要な表示領域がテレビ１０の側に確保されているか否かをアスペクト比から判断する。
より具体的には、コンテンツ再生の側である光ディスクドライブ装置３０において、表示領域をカットしている黒部分を除く表示必要領域を検出し、上記アスペクト比に対応する実質的な表示領域と比較する。この表示必要領域は、レターボックスやワイドノーマル出力で表示に加わっている黒部分を除く領域であり、言い換えると本来のコンテンツの表示に必要な領域である。そして、
【００３０】
実質的な表示領域  ＜  表示が必要な領域
となる関係が生じていないか判断する。これは、受信した実質的な表示領域が検出された表示必要領域よりも小さい場合に相当する。この場合は、字幕などがカットされる状況であるから、この確認を行なって、必要であれば現状のテレビ１０のアスペクト比を記憶した上で、表示が必要な領域が確保されているアスペクト比に変更する要求を送る必要がある。
【００３１】
このため、ステップ１４で、テレビのアスペクト比を保存した後、ステップ１５では、表示可能なアスペクト比を送信する。
これにより、受信した実質的な表示領域が検出された表示必要領域よりも小さい場合に、ＣＥＣ機能による通信を介してテレビ１０に表示領域の変更要求を送ることになる。従って、ステップ１３，１５の処理が、表示必要領域検出手段と、表示領域変更要求手段とに相当する。
【００３２】
むろん、ステップ１５において、表示可能なアスペクト比を送信すると、テレビ１０の側では要求されたようにアスペクト比を変更する。すなわち、この対応処理が表示領域変更手段に相当する。
最後に、ステップ１６では、コンテンツ再生の終了後（再生停止後）に以前のアスペクト比を送信する。これは、コンテンツであるメディアの再生の停止後に、ステップ１４で記憶しておいたアスペクト比を光ディスクドライブ装置３０からテレビ１０側に送信する。そして、これを受けたテレビ１０は受信したアスペクト比に変更する。
【００３３】
ステップ１５でテレビ１０のアスペクト比の変更を要求したとすると、ユーザーは映画の再生後に元のアスペクト比に手動で戻さなければならなくなる。このような不便さを回避するため、ステップ１４において、映画再生前のテレビ１０でのアスペクト比を保持しておき、ステップ１６においてこのアスペクト比に戻す処理を行う。
以上のようにすることで、ユーザーがアスペクト比のような表示領域を意識することなく、快適に映画などのコンテンツを鑑賞でき、また、コンテンツの再生後にアスペクト比を戻すことにより、手動で戻すといった煩わしさを防止することができる。
【００３４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３５】
１０…テレビ、１１…テレビ側チューナ、１２…アンテナ、１３…テレビ処理回路、１４…テレビ側操作パネル、１５…画像処理回路、１６…液晶パネルユニット、１７…パネル駆動回路、１８…液晶パネル、１９…バックライトユニット、２０…ＨＤＭＩケーブル、２１…音声回路、２２…スピーカ、２４…テレビ側制御回路、２５…テレビ側ＨＤＭＩインターフェイス、３０…光ディスクドライブ装置、３３…再生制御回路、３４…光ディスクドライブ、３５…光ディスクドライブ側操作パネル、３６…光ディスクドライブ側制御回路、３７…光ディスクドライブ側ＨＤＭＩインターフェイス。
【図１】
0005540688.tif 000002
【図２】
0005540688.tif 000003
【図３】
0005540688.tif 000004
【図４】
0005540688.tif 000005